(57)【要約】  スキンクリーニング用の装置は、手持ち式ボディとボディに連結されたヘッドとを有している。振動発生器は前記ボディの中に配置されており、前記ヘッドに連結されている。パッドは着脱可能にヘッドに連結されている。ある実施形態においては、振動発生器はモータに回転可能に連結された磁性コアを有する。磁性コアが磁性ヘッド内に配置されるように磁性ヘッドはしっかりとモータに連結されている。第一の磁石は磁性コアに配置されており、第二の磁石は磁性ヘッドに配置されることによって、磁性コアが回転する際に第一の磁石によって生じる磁界が第二の磁石によって生じる磁界と相互作用する。
2009525066.tif 000002
【特許請求の範囲】
【請求項１】
皮膚の手入れをするための装置であって、
手持ち式ボディと、
前記ボディに連結されたヘッドと、
前記ボディ内に配置されており前記ヘッドに連結されている振動発生器と、
前記ヘッドに着脱可能に連結されているパッドと
を有する装置。
【請求項２】
前記ヘッドが適用面を有する可撓性膜を更に有しており、前記パッドが前記可撓性膜の適用面を覆っている請求項１の装置。
【請求項３】
前記ヘッドがヘッドナットによって前記ボディに連結されており、ヘッドは前記ボディと可撓性膜を係合する請求項２の装置。
【請求項４】
前記ヘッドが前記ボディに柔軟に連結されている請求項１の装置。
【請求項５】
前記パッドが少なくとも一つの低角度領域を有する請求項１の装置。
【請求項６】
前記ボディに支持されており、前記振動発生器に電気的に連結されている電源を更に有する請求項１の装置。
【請求項７】
前記電源が前記ボディに連結されているベース内に配置されている請求項６の装置。
【請求項８】
前記振動発生器が
モータと、
前記モータに回転可能に連結されておりその上に配置されている第一の磁石を有する磁性コアと、
前記モータに柔軟に連結されておりその上に配置されている第二の磁石を有する磁性ヘッドと
を有しており、前記磁性コアが前記磁性ヘッド内に配置されている請求項１の装置。
【請求項９】
前記磁性コアが回転する際に、第一の磁石によって生じる磁界が第二の磁石によって生じる磁界と相互作用する請求項８の装置。
【請求項１０】
皮膚洗浄装置であって、
ボディ内に配置されている振動発生器と、
前記振動発生器に連結されておりボディに柔軟に連結されている振動ヘッドと、
前記振動ヘッドに着脱可能に配置されているパッドと
を有する皮膚洗浄装置。
【請求項１１】
前記振動ヘッドは適用面を有する可撓性膜によって覆われており、前記パッドは前記可撓性膜の適用面に着脱可能に配置されている請求項１０の皮膚洗浄装置。
【請求項１２】
前記振動ヘッドはヘッドナットによって前記ボディに柔軟に連結されており、ヘッドナットは前記ボディと前記可撓性膜とを係合する請求項１１の装置。
【請求項１３】
前記振動ヘッドは少なくとも一つの低角度領域を備える適用面を有する請求項１０の皮膚洗浄装置。
【請求項１４】
前記振動発生器が、
モータと、
前記モータに連結されておりその上に配置されている第一の磁石を有する磁性コアと、
前記モータに柔軟に連結されておりその上に配置されている第二の磁石を有する磁性ヘッドと
を更に有しており、前記磁性コアは前記磁性ヘッド内に配置されている請求項１０の皮膚洗浄装置。
【請求項１５】
前記磁性コアが回転する際に、第一の磁石によって生じる磁界が第二の磁石によって生じる磁界と相互作用する請求項１４の皮膚洗浄装置。
【請求項１６】
パッドを洗浄装置へと取り付けるための手段と、
パッドに振動を生じさせるための手段と、
洗浄装置からパッドを取り外すための手段と
を有する装置。
【請求項１７】
パッドが、パッド中において振動を集中及び反射させるための手段を更に有する請求項１６の装置。
【請求項１８】
振動を生じさせるための手段に電力を供給するための手段を更に有する請求項１６の装置。
【請求項１９】
洗浄装置が手持ち式装置である請求項１６の装置。
【請求項２０】
パッドを洗浄装置に柔軟に連結するための手段を更に有する請求項１６の装置。
【発明の詳細な説明】
【技術分野】
【０００１】
本発明は、概して人間の皮膚を洗浄するための方法及び装置に関連する。より詳細には、本発明は振動を用いて人間の皮膚を洗浄する方法及び装置に関連する。
【背景技術】
【０００２】
超音波振動及び超音波は様々な作業を行うために人間の皮膚に対して用いられており、それは、血栓の軟化、にきびを治療した後の傷跡の除去、異常な皮膚の色の除去、異常な色素の分解及び皮膚下のしみの除去、顔のしわ及び鬱血の予防及び除去、「目の袋（eye-sack）」及び「目の縁の黒み（black eye-rim）」の除去、にきびを治療するための結節の柔軟化、並びに硬化症及びパーチメント（parchment）の治療を含む。また、超音波振動は下にある筋肉の調子と共に皮膚の調子を改善するために求められる。
【０００３】
ほとんどの場合において、人間の皮膚への超音波振動の適用はスパ又は医療施設で行われる。これらの治療は、最大で１ＭＨｚを含む高周波の音波を生じる超音波トランスデューサを一般に用いる。超音波トランスデューサは、皮膚に直接適用される金属板を介して振動を伝達する。トランスデューサは、トランスデューサへ電力を供給する固定ベースユニットにコードを介して接続される。一般的な治療は１５から３０分間続き、数百から数千ドルの費用がかかる。
【０００４】
また、皮膚を手入れするための超音波を用いる多数の手持ち式の家庭用装置がある。これらの手持ち式装置は一つ以上の金属板を有しており、それは手入れされる皮膚の領域に直接当てられる。超音波トランスデューサは金属板を作動させ、超音波振動が皮膚及び周囲の組織に伝わる。これらの手持ち式ユニットは老化による目に見える影響を減少させるのに役立つよう設計されており、手術によるしわ取りの代わりとして低価格で販売されている。ユニットは皮膚、特に顔及び首の皮膚の健康全般に対して優れた有益な効果を有している。それらは目に見えるしわを減らし、傷跡を滑らかにし、及び下にある皮下組織の一般的な筋肉の調子を向上させることができる。また、残念な事にいくつかのこれらのユニットは、使用者が偶然目に接触させた場合、それらが生じるエネルギが網膜及び人の目の視神経に障害を与えるわずかな健康上の危険をもたらす。この健康上の危険によって多くの国におけるこれらの製品の利用が制限されている。
【０００５】
現在入手できる超音波スキンケア製品の大半は、皮膚を活性化させる又は皮膚の全体的な質を向上させるために設計されており、特に日常的な洗浄器具として機能するようには設計されていない。ある処置において、超音波エネルギは有益な組成物を皮膚の表面へと運ぶために用いられる。これは「超音波療法（sonophoresis）」として知られている。しかしながら、皮膚の表面に見られる好ましくない混入物も超音波の使用によって同様に運ばれる。このため、限定するのではないが埃、あか、壊死した皮膚、過剰な皮脂又は露出した皮膚の表面に見られる他の混入物を含む全ての無関係な物質がなくなるように皮膚の表面を処理することが重要である。したがって、高周波音が実際に皮膚表面内へと表面の混入物をより深くに運ぶため、超音波装置の適用前に皮膚を予備洗浄することが度々推奨される。
【０００６】
したがって、日常的な個人の使用を目的とし、超音波の振動数を含む振動数の範囲で稼働する皮膚洗浄システムを有することが望まれるであろう。故に、全般的により良い結果を提供する一方で、いくつかの前述の問題を解決する皮膚洗浄用の方法及び装置を開発する必要がある。
【特許文献１】国際公開第ＷＯ２００５／００７０５７パンフレット
【発明の開示】
【０００７】
本発明の実施形態は、手持ちボディとボディに連結されたヘッドとを有する皮膚洗浄用装置を対象としている。振動発生器は、前記ボディの中に配置されており、前記ヘッドに連結されている。パッドは着脱可能にヘッドに連結されている。ある実施形態においては、振動発生器はモータと回転可能に連結している磁性コアを有する。磁性ヘッドはモータに対して固定できるよう連結されているため、磁性コアは前記磁性ヘッドの中に配置されることができる。前記磁性コアが回転する際に、第一の磁石によって生じる磁界が第二の磁石によって生じる磁界と接触するように、第一の磁石は磁性コアに配置されており、第二の磁石は磁性ヘッドに配置される。
【０００８】
したがって、本発明は、従来の装置の様々な問題を解決することができる特徴と長所の組み合わせを有する。上述の様々な特徴は他の特徴と同様に、本発明の好適な実施形態の以下における詳細な説明を読み、添付図面を参照することによって当業者に容易に明らかとなるであろう。
【発明を実施するための最良の形態】
【０００９】
以下の説明において、類似の部品には明細書及び図面を通して同一の参照番号がそれぞれ付してある。図面の図は縮尺を変更する必要はない。本発明のある特徴は同程度又はいくらか模式的な形状で誇張して示されており、いくつかの従来の部品の細部は明確及び簡潔の利益のために示されていない。本発明は異なる形状の実施形態に変更可能である。図面に示されており、本明細書中で詳細に説明される本発明の特定の実施形態は、本開示が本発明の原理の例示であると考えられるべきであり、発明を図示され明細書中で説明された発明に限定することを意図していないことが理解される。以下において論述される実施形態の異なる教唆が、望む結果を生じるために別々又はあらゆる適した組み合わせを採用し得ることが十分に理解されるべきである。
【００１０】
特に、本明細書中で説明される様々な実施形態は、従来の皮膚洗浄システムの欠陥又は欠点のいくつかを解消する特徴および長所の組み合わせを有する。上述の様々な特徴は、以下において詳細に説明される他の特性及び特徴と同様に、好適な実施形態の以下の詳細な説明を読み、添付図面を参照することによって当業者にとって容易に明らかとなるであろう。
【００１１】
ここで図１及び２を参照すると、スキンクリーナ１０はメインボディ２０、クリーニングヘッド３０、及び伝達ロッド４０を有する。コントロールパネル５０はメインボディ２０に取り付けられており、電源スイッチとクリーナ１０の稼動を調節するための制御装置を有する。メインボディ２０は手で持てるようにサイズを決められている。クリーニングヘッド３０はボディ２０に対して一定の角度であることによって、皮膚表面に対するクリーニングヘッドの適用を容易にする。クリーニングヘッド３０は丸い形状であり、起伏のある皮膚と容易に接触可能であることが好ましい。また、所望される用途に応じてクリーニングヘッド３０に対する別の形状が利用可能である。
【００１２】
ここで図３を参照すると、メインボディ２０は充電器６０、再充電式バッテリ７０、電気制御センタ８０、並びに振動発生器９０及び９５を内蔵する。クリーニングヘッド３０は伝達ロッド４０の突出た端部に取り付けられている。伝達ロッド４０は胴部２０へと延びており、第一振動発生器９０及び第二振動発生器９５へと連結されている。振動発生器９０及び９５の振動数及び時間は電気制御センタ８０によって制御されており、前記電気制御センタ８０はコントロールパネル５０から使用者による入力を受信する（図１及び２参照）。再充電式バッテリ７０は電気制御センタ８０を介して振動発生器９０及び９５へと電力を供給する。充電器６０は再充電式バッテリ７０に連結されており、再充電ベース１００（図４及び５参照）に接続される際にバッテリを再充電する。
【００１３】
ここで図４及び５を参照すると、再充電ベース１００は再充電チャンバ１１０、電力コード１２０、及び誘導充電コイル１３０を有する。再充電チャンバ１１０はメインボディ２０（図１−３参照）を受容できるサイズになっているベース１００に窪んだ領域を提供する。誘導充電コイル１３０は再充電チャンバ１１０を取り囲んでおり、電力コード１２０が電源（図示しない）に接続される際に充電器へと電力を供給する。
【００１４】
多くの異なる種類の皮膚が日常の洗浄において異なるレベルの手入れを必要とする。最適な日常の洗浄方法を提供することは、洗浄面の物理的な性質と共に洗浄剤の種類の両方において優れた適応性を必要とする。保湿剤のような他のスキンケア用品の塗布を可能にする洗浄システムを有することが望まれるであろう。これらの他のスキンケア用品は皮膚の洗浄に用いられるものとは異なる表面パッドを必要とするであろう。さらに、全ての洗浄面がそれぞれの使用において容易に洗浄又は変更できることが好ましい。洗浄又は交換しないと、洗浄面は油及び壊死した皮膚の集積を有し、結果的に菌の混入源となる。
【００１５】
ここで図６を参照すると、着脱式クリーニングパッド１８０は取り付けリング１５０及び洗浄面１６０を有する。着脱式クリーニングパッド１８０は、取り付けリング１５０を介してクリーニングヘッド３０へと取り付けられている。取り付けリング１５０はヘッド３０に容易に着脱できる圧縮止め輪である。弾性スリップカバー、溝取り付け具、及びあらゆる他の形状の取り付け具を含む別の取り付け方法は、クリーニングヘッド３０へのクリーニングパッド１８０の容易な着脱を手助けするであろう。洗浄面１６０は、皮膚において所望される洗浄効果に適したあらゆる天然若しくは人工繊維又は他の材料から作る事ができる。手入れされる皮膚表面に対する磨耗の程度及び洗浄の深さは、クリーニングパッド１８０の性質及び組成によって制御される。
【００１６】
稼動の際に、クリーニングパッド１８０は、取り付けリング１５０によってクリーニングヘッド３０に取り付けられる。クリーニングパッド１８０は水又はあらゆる所望の洗浄剤に浸される。スキンクリーナ１０は、電気制御センタ８０を稼働するコントロールパネル５０上のスイッチによって電源が入る。バッテリ７０によって供給される電力を用いることで、制御センタ８０は振動発生器９０及び９５を稼働させる。振動発生器９０及び９５において生じる振動は、伝達ロッド４０を介してクリーニングヘッド３０及びパッド１８０に伝達される。ユニットに電源が入ると、クリーニングパッド１８０の表面１６０が洗浄される皮膚の領域に当てられる。
【００１７】
振動発生器９０及び９５は、それらの稼働がクリーニングヘッド３０及びパッド１８０を多様な方向に振動させるように配置されている。スキンクリーナ１０の主要な洗浄動作は、クリーニングパッド１８０の表面１６０と皮膚の表面との間の接触部においてなされる。クリーニングパッド１８０が皮膚に当てられる際に、クリーニングヘッド３０から伝達される振動がクリーニングパッド１８０の表面１６０を非常に早い速度で動かす。クリーニングパッド１８０が洗浄される皮膚の領域を前後に移動することによって、振動が皮膚から根深い汚れ及びあか、壊死した皮膚の細胞、及び他の外部からの物質を浮き上がらせるように作用する。さらに、振動は皮膚を磨耗し、処理された皮膚にきれいで清潔な外観を与える。
【００１８】
超音波振動を含む全ての振動は、それらが反応するあらゆる表面において変位を生じさせる。この変位は、どのように振動が広がったか又は生じたかによって三次元の一つ以上において生じるであろう。基本用語の場合、振動は三次元空間において標準的なＸ、Ｙ又はＺ方向に表面を移動又は変位させる。皮膚を洗浄する目的のため、一次元より多くにおいて移動又は変位をする洗浄面を有することは有益である。特に、同時にＸ及びＹ軸の両方に移動する洗浄面を有することが有益である。特定の振動の発生を適切に計時することによって、移動の軌道パターンは洗浄面において実現できる。軌道運動は皮膚の表面のより大きな移動を可能にし、結果的により大きな洗浄作用をもたらす。
【００１９】
振動発生器９０及び９５は、二平面で振動を発生させるために使用され、結果的に使用中に多次元において伝達ヘッド４０にクリーニングヘッド３０を移動させることができる。稼動中において多平面における振動のタイミングを調整することによって、クリーニングヘッド３０と、皮膚に接触しているクリーニングパッド１８０との変位を生じさせる。振動発生器９０及び９５は、トランスデューサ、不平衡電気モータ、電子磁石、又は一秒当たり１０００回転を超える超音波振動を含む高周波振動を生じることができるあらゆる他の装置であろう。ある実施形態においては、単一の振動発生器は一方向の運動を生じるために用いられるであろう。
【００２０】
制御センタ８０は、使用者によって望まれる時限又は非時限処理期間を提供するであろう。したがって、電気制御センタ８０がクリーナ１０をオフにする際に、クリーニングパッド１８０は洗浄又は交換のために取り外すことができる。使用後には、再充電式バッテリ７０が充電器６０と誘導充電コイル１３０によって再充電されるように、クリーナ１０は充電ベース１００へと配置されるであろう。再充電式バッテリ７０の代わりとして、クリーナ１０のある実施形態は交換式バッテリを備える又は外部電源に接続できるであろう。
【００２１】
本明細書において説明されるように、スキンクリーナ１０は、再充電式バッテリ７０を有する手持ちボディ２０と、着脱式及び／又は交換式クリーニングパッド１８０とを有する他方向性皮膚洗浄装置を提供する。同様に、ボディ２０及び再充電ベース１００は独立構造であり且つ防水であることによって、居住環境において簡単及び安全に保管できることが好ましい。したがって、スキンクリーナ１０は、使用者が日常的に家でひそかに皮膚の表面を深く洗浄することを可能にする。このタイプの深い洗浄の利点は、にきびのコントロール、傷の除去、瘢痕組織の減少、及び処理される皮膚の一般的な健康全般の改善を助けるであろう。
【００２２】
他の実施形態においては、スキンクリーナ１０は着脱式及び交換式のクリーニングヘッドを有するであろう。着脱式のクリーニングヘッドは、伝達ロッドから取り外されて、別の形状を有する代わりのクリーニングヘッドに取り替える事ができる。同様に、代わりのクリーニングヘッドは伝達ロッドから振動を伝達するであろう。また、交換式のクリーニングヘッドは単一駆動ユニットの多様な使い方を可能にするであろう。例えば、一つの代替ヘッドはブレード保持器を備えるシェービングヘッドであろう。別の代替ヘッドは、ネイルケアにおいて爪を整形及び／又は研磨するために用いられる成形研磨パッドを有するであろう。また、代替ヘッドは、発熱体、高密度磁石、又は洗浄作業を改善するための他の特徴を有するであろう。
【００２３】
別の実施形態において、スキンクリーナは駆動ユニットから９０で曲がっている伝達ロッドを有し、ガスケットに浮かぶクリーニングヘッドを有するであろう。クリーニングヘッドは着脱式のクリーニングパッドを支持することができる。この形状は皮膚の大きな領域を洗浄するために設計された装置を提供する。装置は防水であり、棒状石鹸に似ているよう設計されることが好ましい。
【００２４】
ここで図７及び８を参照すると、スキンクリーナ２１０はベース２１２、ボディ２１４、ヘッドナット２１６、振動ヘッドアッセンブリ２１８、着脱式クリーニングパッド２２０、及びコントロールパネル２２２を有する。ベース２１２はボディ２１４の一端に連結されている。振動ヘッドアッセンブリ２１８はヘッドナット２１６によってボディ２１４に柔軟に連結されている。クリーニングパッド２２０は振動ヘッドアッセンブリ２１８に着脱可能に連結されている。コントロールパネル２２２はボディ２１４に取り付けられており、使用者にスキンクリーナ２１０の制御を提供する。スキンクリーナ２１０が作動される際に、ヘッドアッセンブリ２１８及びクリーニングパッド２２０は、例えば一秒当たり少なくとも１０００回の振動周期である超音波周期に至る及び超音波周期を超える選択可能な振動数でボディ内に配置された振動発生器２４０（図８参照）によって振動される。
【００２５】
ベース２１２はねじ２２４を介してボディ２１４に連結されている。シール２２６はベース２１２とボディ２１４との間に防水シールを形成する。ベース２１２及びボディ２１４は、使用者の皮膚に対してクリーニングパッド２２０の人間工学的な適用を可能にするように形成されている。ボディ２１４及びベース２１２は、スキンクリーナ２１０が独立しており手持ち式であるように大きさを決められる。ボディ２１４は、ベース２１２に囲まれる空間においてボディ２１４から延びており且つバッテリ２３０を支持するバッテリ支持器２２８を更に有する。
【００２６】
また、回路板２３２はボディ２１４内に支持されており、ワイヤ２３４を介してバッテリ２３０に連結されている。同様に、回路板２３２はワイヤ２３６を介してコントロールパネル２２２に連結されており、ワイヤ２３８を介して振動発生器２４０に連結されている。回路板２３２は、振動発生器２４０の稼動を制御するため、及びバッテリ２３０からの電力供給を管理するために用いられる電子回路を有する。ある実施形態においては、一つのバッテリが他の全てのバッテリよりも早く枯渇しないように、回路板２３２は複数のバッテリ２３０それぞれから同じ割合で電力を取り出す。バッテリ２３０は従来の交換式バッテリとして描かれているが、別の実施形態においては、バッテリは特注の再充電式バッテリ又はある種の他の電力源によって置き換えられる。
【００２７】
図８において示されるように、振動ヘッドアッセンブリ２１８は振動発生器２４０及び可撓性膜２４２を有する。振動発生器２４０は、モータ２４４、磁性コア２４６、及び磁性ヘッド２４８を有する。可撓性膜２４２は振動発生器２４０をほぼ取り囲んでおり、適用面（applicator  surface）２４３及びフランジ２４５を有する。フランジ２４５はヘッドナット２１６に係合することによって、ボディ２１４に対する振動ヘッドアッセンブリ２１８の柔軟な接続を提供することができる。この柔軟な接続は、ボディからヘッドアッセンブリ２１８内の振動を部分的に隔絶するのに役立つ。クリーニングパッド２２０は適用面２４３をほぼ覆っていることで、可撓性膜２４２がパッドを支持しパッド内へと振動を伝達する弾性基材として機能している間に、クリーニングパッドは処理される皮膚に接触することができる。
【００２８】
適用面２４３及びクリーニングパッド２２０の形状は図９において見ることができる。示される実施形態において、磁性ヘッド２４８、可撓性膜２４２、及びクリーニングパッド２２０は、適用面２４３及びクリーニングパッド２２０が少なくとも一つの低半径部（reduced  radius  portion）２５０を有するよう形成されている。低半径部２５０は、完全に丸いクリーニングパッドが容易に届かない皮膚の小さな領域にクリーニングパッド２２０が行き渡ることを可能にする。また、低半径部２５０は振動ヘッド２１８にわたって振動を集中させ、反射させるように作用する。これらの反射した振動は、クリーニングパッド２２０の洗浄作用を向上させる。図８に示される実施形態において、適用面２４３及びクリーニングパッド２２０は一つの低半径部２５０を有する涙型形状である。また、別の実施形態において、異なる大きさであることができる二つ以上の低半径部が、所望される振動パターン及び洗浄効果を得るために用いられるであろう。
【００２９】
クリーニングパッド２２０は、可撓性膜２４２に密着してしっかりと固定するための大きさにされたマイクロファイバ材料から形成されることが好ましい。クリーニングパッド２２０は、洗浄又は取替えのためにパッドの取り外しを可能にするために、可撓性膜２４２から取り外し可能であることが好ましい。可撓性膜２４２は、パッドに柔軟であるが安定した下地とボディ２１４に対するしっかりした接続とを提供する一方で、クリーニングパッド２２０へと振動を伝達する柔軟な材料から作られるであろう。また、可撓性膜２４２は非透過性であることによって、洗浄を容易にし、ボディ２１４に防水シールを提供することができる。ある実施形態においては、可撓性膜２４２はシリコンベースの材料から作られている。
【００３０】
図１０において更に示されるように、振動発生器２４０は、モータ２４４、磁性コア２４６、及び磁性ヘッド２４８を有する。磁石２５２及び２５４はそれぞれ磁性コア２４６及び磁性ヘッド２４８に取り付けられている。磁性コア２４６は、モータ２４４の稼動が磁性ヘッド２４８に対する磁性コアの回転をもたらすように、モーターシャフト２４７に取り付けられている。モータ２４４は磁性ヘッド２４８に対して安定するよう取り付けられている。磁石２５２及び２５４は、２５００ガウスのサマリウムコバルト磁石などの高強度の永久磁石であることが好ましい。モータ２４４は、ヘッド２４８内でコア２４６を回転させるために十分なトルクを有して一分当たり最大１５００回転で稼働する変速電気モータであろう。
【００３１】
稼働の際に、モータ２４４は磁性コア２４６を磁性ヘッド２４８に対して回転させる。磁性コア２４６が磁性ヘッド２４８に対して回転することによって、磁石２５２の磁界は磁石２５４の磁界に出入りする。磁石の正極及び負極が非均一に相互作用するように磁石は配置される。この相互作用が、磁石２５２及び２５４の間の引力及び斥力の変化を生じさせる。これらの力の変化が振動発生器２４０において振動を引き起こす。
【００３２】
一般に、磁石の数が増えるにつれて、モータの回転あたりの振動数も増加する。したがって、振動の頻度はモータ２４４を介した磁性コア２４６の回転スピードを上昇させることによって増加させることができる。また、振動の頻度及び強さは磁石２５２及び２５４の強度、配置、及び選択を変更することによって制御可能である。ある実施形態においては、振動発生器２４０は一秒当たり１０００回以上の振動の最大振動数に至る振動数の範囲において振動を発生させる。
【００３３】
図１１に示される実施形態においては、磁性コア２４６はコア周囲に均等に配置された四つの磁石２５２を有する。磁石２５２は、二つの対向する磁石の正極が磁性ヘッド２４８に向いており、一方で他の二つの磁石の負極が磁性ヘッドに向いているように配置されている。磁性ヘッド２４８内の磁石２５４は、同様の交互の極性で配置されているが、ヘッド周囲に均一に配置されていない。ある実施形態においては、磁石２５４は約６８°離間して配置されている。
【００３４】
磁石の別の配置及び数は実施可能であり、所望される振動回数と強度とを実現するために用いることができる。皮膚洗浄用途のためには、振動数を最大にする一方で、振動の強度を最小にすることが好ましいであろう。他の用途は、振動数及び強度の別の組み合わせが有益であろう。
【００３５】
ここで図１２を参照すると、起動スイッチ２５６、モード表示発光ダイオード（ＬＥＤ）２５８、及びバッテリ充電表示ＬＥＤ２６０を有するコントロールパネル２２２のある実施形態が示されている。回路板２３２は、使用者によって起動スイッチ２５６を介してなされる選択に応じた三つの内一つのモードで、クリーナ２１０を稼働させるようプログラムされているマイクロコントローラを有する。スキンクリーナ２１０は得られる洗浄作業の実施にとって有益であるため、三つのモードのそれぞれにおいて異なる振動回数で稼働することができる。例えばスキンクリーナ２１０は、超音波振動数における深い洗浄モード、超音波より低い振動数における日常の洗浄モード、及びより低い振動数における保湿剤塗布モードで稼働することができる。
【００３６】
使用者が最初に起動スイッチ２５６を押す際に、モータ２４４は全力で稼働されることでモータを停止状態に保とうとする磁石２５２及び２５４からの力に打ち勝つことができる。その後、モータ２４４への電力は低下し、クリーナ２１０は所定時間の間第一モードで稼働するであろう。起動スイッチ２５６を二度押すことで所定時間の間クリーナ２１０を第二モードへと移行させ、起動スイッチを三度押すことで所定時間の間クリーナを第三モードへと移行させるであろう。クリーナ２１０が稼働しているモードは、ＬＥＤ２５８の一つの作動によって表示されるであろう。所定時間にわたる稼働後は、使用者が起動スイッチ２５６を押すまでクリーナ１０は停止しているであろう。
【００３７】
本発明の好適な実施形態が示されて説明される一方で、それらの改良は当業者によって本発明の範囲又は教唆から逸脱せずになされる事が出来る。本明細書中において説明される実施形態は、例示に過ぎず限定していない。システム及び装置の多くの変形及び改良が可能であり発明の範囲に属する。例えば、様々な部品の相対的な寸法、様々な部品が作られる材料、及び他のパラメータは、システムが本明細書中で論じられた利点を有する限り変更可能である。したがって、保護の範囲は本明細書中において説明された実施形態に限定されることは無く、以下の請求項によってのみ限定されており、その請求項の範囲は請求項の対象物の全ての同等物を含むであろう。
【図面の簡単な説明】
【００３８】
【図１】本発明のある実施形態に基づいて形成されたスキンクリーナの側面図。
【図２】図１のスキンクリーナの正面図。
【図３】図１のスキンクリーナの部分的な断面図。
【図４】本発明の実施形態に基づいて形成されたスキンクリーナ再充電ベースの上面図。
【図５】図４のスキンクリーナ再充電ベースの断面図。
【図６】本発明の実施形態に基づいて形成されたスキンクリーナのクリーニングパッドの斜視図。
【図７】本発明の実施形態に基づいて形成されたスキンクリーナ。
【図８】図７のスキンクリーナの横断立面図。
【図９】図７のスキンクリーナの適用面の形状。
【図１０】図７のスキンクリーナの駆動システムの横断立面図。
【図１１】図７の駆動システムのある実施形態の断面図。
【図１２】図７のスキンクリーナ用のコントロールパネルのある実施形態。
【図１】
2009525066.tif 000003
【図２】
2009525066.tif 000004
【図３】
2009525066.tif 000005
【図４】
2009525066.tif 000006
【図５】
2009525066.tif 000007
【図６】
2009525066.tif 000008
【図７】
2009525066.tif 000009
【図８】
2009525066.tif 000010
【図９】
2009525066.tif 000011
【図１０】
2009525066.tif 000012
【図１１】
2009525066.tif 000013
【図１２】
2009525066.tif 000014
【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
皮膚を手入れするための装置であって、
ボディと、
ボディに柔軟に接続された磁性ヘッドと
を有しており、
磁性ヘッドは内部空洞とその周囲に配置された固定磁石とを有し、
回転磁石は固定磁石に隣接する内部空洞に配置されており、
固定磁石は回転磁石の極性と反対の極性を有していることで、回転磁石が回転する際に、振動が磁性ヘッドに伝達される装置。
【請求項２】
磁性ヘッドが回転磁石を回転させるためのモータを更に有する請求項１の装置。
【請求項３】
磁性ヘッドが着脱式パッドを更に有する請求項１の装置。
【請求項４】
パッドがマイクロファイバで作られている請求項３の装置。
【請求項５】
可撓性膜が磁性ヘッドをボディに接続していることによって、磁性ヘッドにおける振動をボディから隔絶できる請求項１の装置。
【請求項６】
磁性ヘッドがボディをねじ留め係合するナットを有しており、前記ナットはボディに対して可撓性膜を保持する請求項５の装置。
【請求項７】
可撓性膜がシリコンベースの材料から作られている請求項５の装置。
【請求項８】
可撓性膜が適用面を有する請求項５の装置。
【請求項９】
適用面が涙型である請求項８の装置。
【請求項１０】
ボディが回転磁石用の制御装置を有する請求項１の装置。
【請求項１１】
磁性ヘッドが一秒当たり１０００以上の振動周期を生じる請求項１の装置。
【請求項１２】
ボディ中に再充電式電源のための区画を更に有する請求項１の装置。
【請求項１３】
ボディが制御モジュールに取り外し可能に接続されている再充電式電源用の区画を有する請求項１の装置。
【請求項１４】
再充電式電源が複数のバッテリを有しており、制御モジュールが各バッテリから均等に電力を引き出す制御装置を有する請求項１３の装置。
【請求項１５】
回転磁石がモータの駆動シャフトに取り付けられている請求項１の装置。
【請求項１６】
回転磁石を形成する磁石の数が、モータの一回転あたりの振動数によって決定されている請求項１５の装置。
【請求項１７】
四つの回転磁石が約６８°間隔で配置されている請求項１の装置。
【請求項１８】
回転磁石用の制御装置を更に有する請求項１の装置。
【請求項１９】
制御装置が複数の超音波周波数を有する請求項１８の装置。
【請求項２０】
制御装置が複数の周波数設定を有しており、初期稼動時にその最大の設定で稼働し、その後に低い設定で稼働することができる請求項１９の装置。
【請求項２１】
振動発生器であって、
ボディに柔軟に連結されており空洞とその中に配置されている第一の磁石とを有するヘッド、及び
モータ上に回転可能に配置されており前記空洞へと延びている第二の磁石
を有しており、
第二の磁石は第一の磁石とは反対の磁極を有しており、
第二の磁石は可変の回数で回転することによって、第一の磁石のすぐ傍で第二の磁石を回転させることができ、
前記第一及び第二の磁石は相互に反発することによってヘッド内に振動を発生させることができる振動発生器。
【請求項２２】
前記回数が少なくとも部分的にモータの回転速度によって決定される請求項２１の振動発生器。
【請求項２３】
モータの回転速度が制御装置によって制御される請求項２２の振動発生器。
【請求項２４】
皮膚洗浄装置であって、
ボディに配置されている電気モータと、
電気モータに回転可能に連結されている磁性コアであって、その上に配置されている第一の磁石を有する磁性コアと、
モータに柔軟に連結されている磁性ヘッドであって、その上に配置されている第二の磁石を有する磁性ヘッドと、
ヘッドに着脱可能に連結されているパッドと
を有しており、磁性コアが磁性ヘッド内に配置されている皮膚洗浄装置。
【請求項２５】
磁性ヘッドが可撓性膜によってボディに取り付けられている請求項２４の皮膚洗浄装置。
【請求項２６】
パッドが可撓性膜に着脱可能に取り付けられている請求項２４の皮膚洗浄装置。
【請求項２７】
パッドが少なくとも一つの低半径領域を有する請求項２４の皮膚洗浄装置。
【国際調査報告】
2009525066.tif 000015